(57)【要約】【課題】ランデイング補正する機能を備えた陰極線管において、ランデイング補正した後の磁気の影響が許容値を超えたときに警告を発するようにして、ランデイング補正のずれを容易に解るようにする。【解決手段】少なくとも陰極線管の表示面の背面側周辺部に対して複数の補正コイルを配置すると共に、磁気を検出する磁気センサーと、環境温度を検出する温度センサーと、陰極線管の使用開始からの時間を検出する時定数回路と、磁気センサー、温度センサー及び時定数回路で検出された検出値を記憶するメモリーと、メモリーに記憶されている検出値を用いて前記複数の補正コイルに供給する電流値を決定する制御手段と、を備えてなるランデイング補正装置であって、磁気センサーで検出した値が、メモリーに記憶されている検出値と比較したときに、所定の許容値を超えたときに報知する報知手段を備えたことである。【選択図】    図１
2004207981.tif 000002
【特許請求の範囲】
【請求項１】
ランデイング補正した陰極線管を有する画像表示装置であって、
ランデイング補正したときの磁気センサーによる検出値をメモリーに記憶しておき、
前記陰極線管が使用される環境において、前記磁気センサーで検出した値が、前記メモリーに記憶されている前記検出値を基準にした許容値を超えたときに所定の表示形態で報知することを特徴とするランデイング補正方法。
【請求項２】
前記報知は、画面上に重畳表示した表示であることを特徴とする請求項１に記載のランデイング補正方法。
【請求項３】
少なくとも陰極線管の表示面の背面側周辺部に配置した複数の補正コイルと、
磁気センサーと、
ランデイング補正のときに、前記磁気センサーで検出した検出値を記憶するメモリーと、
ランデイング補正のときに、前記複数の補正コイルに供給する電流値を設定する制御手段と、を備えてなるランデイング補正装置であって、
前記磁気センサーで検出した値が、前記メモリーに記憶されている検出値を基準にした許容値を超えたときに所定の表示形態で報知する報知手段を備えたことを特徴とするランデイング補正装置。
【請求項４】
前記報知手段は、前記陰極線管の表示面上に重畳表示した表示であることを特徴とする請求項３に記載のランデイング補正装置。
【請求項５】
陰極線管のランンデイング補正する機能を備えた画像表示装置であって、
ランデイング補正したときの磁気センサーで検出した検出値を記憶するメモリーと、
前記磁気センサーで検出した値が、前記メモリーに記憶されている検出値を基準にした許容値を超えたときに所定の表示形態で報知する報知手段とを備えたことを特徴とする陰極線管を用いた画像表示装置。
【請求項６】
前記報知手段は、前記陰極線管の表示面上に重畳表示した表示であることを特徴とする請求項５に記載の陰極線管を用いた画像表示装置。
【発明の詳細な説明】
【０００１】
【発明の属する技術分野】
本発明は、ランデイング補正方法及びランデイング補正装置並びに陰極線管（ＣＲＴ；Ｃａｔｈｏｄｅ  Ｒａｙ  Ｔｕｂｅ）を用いた画像表示装置に関するものであり、例えば、高解像度のコンピュータディスプレイ装置に使用して好適なランデイング補正装置に関するものであり、詳しくは、ビームランディングの高精度調整時に磁気センサーの出力値を記録しておき、この画像表示装置を使用中に磁気センサーの出力値と記録してある記録値を比較して、差分が、ある設定された範囲以上になった時に警告等の報知する機能を備えた、ランデイング補正方法及びランデイング補正装置並びに陰極線管を用いた画像表示装置に関する。
【０００２】
【従来の技術】
従来技術において、例えば、高解像度のコンピュータディスプレイ装置として、１７〜２０インチクラスの大きさで、解像度で１２８０ドット×１０２４ラインの装置が主流になりつつある。更に、例えば、２２〜２４インチクラスの大きさでは、解像度で１６００ドット×１２００ラインの装置の要求が高まっている。一方、蛍光体ピッチにおいても、現在主流の０．３１ミリピッチから、０．２６ミリピッチのファインピッチの高精細陰極線管が要求されている。
【０００３】
従来技術における、ランデイング補正装置１１Ａは、図４及び図５に示すように、陰極線管４１の表示面の背面側周辺部に対して複数の補正コイル３７〜４２を設けると共に、地磁気の方向を検出する地磁気センサー５１と、環境温度を検出する温度センサー１９と、陰極線管４１の使用開始からの時間を検出する時定数回路２０とが設けられ、地磁気センサー５１、温度センサー１９及び時定数回路２０で検出された検出値を用いて補正コイル３７〜４２に供給される電流値を決定するというものである。
図４において、メモリー１４には、例えば、工場等でのディスプレイ装置の製造過程で、所定の条件下で求められた調整値やセンサーの基準値等の設定パラメータが書き込まれている。
また、地磁気センサー５１には地磁気の方向を検出する手段が設けられ、例えば、図６に示すような地磁気センサー５１の設置される東西南北の方角に応じて、地磁気の大きさを示す２軸の検出出力が電圧Ｖｘ、Ｖｙで出力できる。更に、温度センサー１９及び時定数回路２０からは、それぞれ環境温度及び陰極線管４１の使用開始からの時間が電圧変化で出力されるものである。
【０００４】
これらのメモリー１４及び地磁気センサー５１、温度センサー１９、時定数回路２０からの信号がマイクロコンピュータ３０Ａに供給される。そして、このマイクロコンピュータ３０Ａでは、上述の地磁気センサー５１からの２軸の検出信号と、温度センサー１９及び時定数回路２０からの検出信号が、夫々ＡＤ変換器５２、５３、２２、２３でデジタルデータに変換され、メモリー１４からのデータと共に中央演算処理装置（ＣＰＵ）１６に供給され、各補正コイル３７〜４２に供給される電流値を決定する値を演算処理する。
【０００５】
この中央演算処理装置１６で演算処理された各補正コイル３７〜４２に供給される電流値を決定する値が、夫々Ｄ／Ａ変換器２４〜２９でアナログ信号に変換される。そして、変換されたアナログ信号が、夫々駆動回路３１〜３６を通じて、図５に示す陰極線管４１の背面側において、表示面の四隅に対して夫々設けられた第１〜第４の補正コイル３７〜４０と、表示面の周囲に設けられた第５の補正コイル４１と、陰極線管４１のファンネル部に設けられたローテーション補正コイル４２とに供給される。
【０００６】
そして、このランディング補正装置１１Ａにおいて、地磁気センサー５１からの検出信号Ｖｘ、Ｖｙ、及び温度センサー１９、時定数回路２０からの検出信号を用いて、中央演算処理装置１６では、各補正コイル３７〜４２を夫々駆動回路３１〜３６を通じて地磁気及び環境温度等を補正するように所定の電流値を駆動するための、Ｄ／Ａ変換器２４〜２９に供給される値が設定され、各補正コイル３７〜４２に所定の電流が供給されるのである。
【０００７】
このようにして、地磁気の方向を検出する地磁気センサー５１を設け、この地磁気センサー５１で検出された検出値を用いて補正コイル３７〜４２に供給される電流値を決定するような補正を中央演算処理装置１６で行うことによって、環境温度が変化した場合や、地磁気の方向が変化した場合、長時間使用した場合にも、自動的に補正コイル３７〜４２に供給される電流値の調整が行われて、常に良好なランディング補正を行うことができる。
【０００８】
このようなランデイング補正機能を備えることで、例えば、地磁気の影響に対するランディング補正の調整値の変更を行う場合に特別な測定装置や専門的な知識が要求されることなく、又、特に高精細陰極線管の使用されたディスプレイ装置では、容易に設置や移動を行うことができなかったものを、専門的な知識を持たないユーザーであっても、ディスプレイ装置の設置や移動を容易に行うことができるのである。
【０００９】
【特許文献１】
特開２００２−６３７６５号公報（第７頁  第１図）
【００１０】
【発明が解決しようとする課題】
しかしながら、従来技術で説明した陰極線管を用いた画像表示装置は、外部の磁気の影響によるビームランディングのずれを補正する調整が必要である。
又、磁気センサーによりランディング調整を自動的に行う方法については、実際の製品にも用いられているが、より精度の高い調整を行うためには、画面においてビームランディングずれを測定するなどの方法が必要となるという問題がある。
更に、ランディングの精調を行った後、画像表示装置の設置位置や周囲に配置されている物が変わるなど周囲状況が変化した場合、受ける磁界も変化することがあり、ビームランディングが最適でない状態で使用されてしまうという問題もある。
【００１１】
従って、ランデイングの精調を行った画像表示装置を使用しているときに、外部から受ける磁界等の影響に左右される限界値に達したときに、警告等の報知ができる構成にすることに解決しなければならない課題を有する。
【００１２】
【課題を解決するための手段】
上記課題を達成するために、本発明に係るランデイング補正方法及びランデイング補正装置並びに陰極線管を用いた画像表示装置は、次に示す構成にすることである。
【００１３】
（１）ランデイング補正方法は、ランデイング補正した陰極線管を有する画像表示装置であって、ランデイング補正したときの前記磁気センサーによる検出値をメモリーに記憶しておき、前記陰極線管が使用される環境において、磁気センサーで検出した値が、前記メモリーに記憶されている前記検出値を基準にした許容値を超えたときに所定の表示形態で報知することである。
（２）又、前記報知は、画面上に重畳表示した表示であることを特徴とする（１）に記載のランデイング補正方法。
【００１４】
（３）ランデイング補正装置は、少なくとも陰極線管の表示面の背面側周辺部に配置した複数の補正コイルと、磁気センサーと、ランデイング補正のときに、前記磁気センサーで検出した検出値を記憶するメモリーと、ランデイング補正のときに、前記複数の補正コイルに供給する電流値を設定する制御手段と、を備えてなるランデイング補正装置であって、前記磁気センサーで検出した値が、前記メモリーに記憶されている検出値を基準にした許容値を超えたときに所定の表示形態で報知する報知手段を備えたことである。
（４）又、前記報知手段は、前記陰極線管の表示面上に重畳表示した表示であることを特徴とする（３）に記載のランデイング補正装置。
【００１５】
（５）陰極線管を用いた画像表示装置は、陰極線管のランンデイング補正する機能を備えた画像表示装置であって、ランデイング補正したときの磁気センサーで検出した検出値を記憶するメモリーと、前記磁気センサーで検出した値が、前記メモリーに記憶されている検出値を基準にした許容値を超えたときに所定の表示形態で報知する報知手段とを備えたことである。
（６）又、前記報知手段は、前記陰極線管の表示面上に重畳表示した表示であることを特徴とする（５）に記載の陰極線管を用いた画像表示装置。
【００１６】
このように、ランデイング補正する機能を備えた陰極線管において、ランデイング補正を行った後に、或る許容範囲以上の磁気の影響を蒙ったときに、警告等の報知する手段を設けることで、ビームランデイングがずれていることを知ることができ、速やかなランデイングの精調が行えるようになる。
【００１７】
【発明の実施の形態】
次に、本願発明に係るランデイング補正方法及びランデイング補正装置並びに陰極線管を用いた画像表示装置の実施形態について、図面を参照して説明する。尚、従来技術で説明したものと同じものには同一符号を付与して説明する。
【００１８】
陰極線管を用いた画像表示装置は、外部の磁気の影響によりビームランディングのずれが発生するため、これを補正する調整が必要である。磁気センサーによりランディング調整を自動的に行う手法、即ち、ランンデイング補正装置については、従来技術で説明したように、既に提案されており、コンピュータディスプレイなどの実際の製品に用いられているが、放送用モニターなどの高い精度が要求されるものについては、画面においてビームランディングずれを測定するなど、より高精度な調整方法が不可欠である。
【００１９】
本願発明のランデイング補正方法を具現化できるランデイング補正装置を備えた画像表示装置は、図１に示すように、ランデイング補正装置１１で行ったランデイング補正時における磁気センサー１２の検出値をメモリー１４に記憶しておき、後で、このメモリー１４に記憶してある磁気センサー１２の検出値と、磁気センサー１２で検出した値とを比較することで、磁気によるランデイングのズレが生じていることを警告するというものである。
その構成は、磁気センサー１２と、磁気センサー１２で検出した信号をデジタル信号にするＡ／Ｄ変換器１３と、このＡ／Ｄ変換器１３で変換された磁気センサー１２で検出した検出値を記憶するメモリー１４と、メモリー１４に記憶されているビームランデイング精調時の磁気センサー１２の検出値と、磁気センサー１２で検出した値とを比較する比較器１５と、比較器１５で得られた比較結果の信号から装置の周囲の磁気の状態が変化したことを判断する中央演算処理装置（ＣＰＵ）１６と、中央演算処理装置（ＣＰＵ）１６の判断に従って画面上にビームランデイングのズレが生じていることの警告を重畳表示（オンスクリーンディスプレイ）で表示する表示部１７とからなる。このうち、メモリー１４と中央演算処理装置（ＣＰＵ）１６はランデイング補正装置１１を構成するものと同じものを共有する。
【００２０】
このビームランデイングを精調するランデイング補正装置１１について、従来技術で説明した地磁気センサー付きの回路構成のもの、地磁気センサーを有しない回路構成のもの、プローブを用いた回路構成のもの、がある。
【００２１】
ここでは、プローブを用いた回路構成のランデイング補正装置１１について説明すると、所謂、画面上の表示を白色又は緑色の一色にして、その輝度を測定するというものであり、画面に表示されているものに対してＣＣＤにより撮像してビームランデイングの補正をする。
その構成は、図２に示すように、ビームランデイングの精調を行ったときの補正値及び検出値を記憶するメモリー１４と、ビームランデイング精調時に陰極線管４１（図５参照）の画面上のポイントを撮像するＣＣＤ１８と、温度センサー１９と、時定数回路２０と、ＣＣＤ１８で得られたデータをデジタル値に変換するＡ／Ｄ変換器２１と、温度センサー１９で得られた信号をデジタル値に変換するＡ／Ｄ変換器２２と、時定数回路２０で得られたデータをデジタル値に変換するＡ／Ｄ変換器２３と、ランデイング補正のときに複数の補正コイル３７〜４２に供給する電流値を設定する制御手段を備えた中央演算処理装置１６と、中央演算処理装置１６で演算処理された電流値の値をアナログ値にするＤ／Ａ変換器２４〜２９と、駆動回路３１〜３６と、第１〜第５の補正コイル３７〜４１、ローテーション補正コイル４２とから構成されている。このＡ／Ｄ変換器２１、２２、２３、中央演算処理装置１６、Ｄ／Ａ変換器２４〜２９でマイクロコンピュータ３０を形成する。
【００２２】
メモリー１４は、例えば、工場等でのディスプレイ装置の製造過程で、所定の条件下で求められた調整値やセンサーの基準値等の設定パラメータが書き込まれており、実施例においては、加えてランデイング補正時における磁気センサー１２（図１参照）の検出値を記憶する構成になっている。
【００２３】
これらのメモリー１４及び、温度センサー１９、時定数回路２０からの信号がマイクロコンピュータ３０に供給される。そして、このマイクロコンピュータ３０では、温度センサー１９及び時定数回路２０からの検出信号が、夫々ＡＤ変換器２１、２２、２３でデジタルデータに変換され、メモリー１４からのデータと共に中央演算処理装置（ＣＰＵ）１６に供給され、第１〜第５の補正コイル３７〜４１、及びローテーション補正コイル４２に供給される電流値を決定する。
【００２４】
この中央演算処理装置（ＣＰＵ）１６で演算処理された第１〜第５補正コイル３７〜４１、及びローテーション補正コイル４２に供給される電流値を決定する値が、夫々Ｄ／Ａ変換器２４〜２９でアナログ信号に変換される。そして、変換されたアナログ信号が、夫々駆動回路３１〜３６を通じて、図５に示す陰極線管４１の背面側において、表示面の四隅に対して夫々設けられた第１〜第４の補正コイル３７〜４０と、表示面の周囲に設けられた第５の補正コイル４１と、陰極線管４１のファンネル部に設けられたローテーション補正コイル４２とに供給される。
【００２５】
ＣＣＤ１８による画面上の画像を撮像するためには、自動ランデイング調整手順により行う。この自動ランデイング調整手順は、図３に示すように、画面上にランデイング調整項目を重畳表示させて行う。
【００２６】
それは、図３（Ａ）に示すように、メニュー画面からセットアップの項目を選択し、ホワイトユニフォミティーを選択することにより行われる。
ホワイトユニフォミテイーの中で、ランデイング調整の項目の中の、“マニュアル”、“自動”、“信号”の項目のいずれかを選択する。実施例の場合は、“自動”が選択されると、図３（Ｂ）に示すように、セットプローブオンカーサー（ＳＥＴ  ＰＲＯＢＥ  ＯＮ  ＣＵＲＳＯＲ）の画面が表示され、画面の一部をブリンクさせて表示され、そのブリンクした位置にランンデイング補正装置１１のＣＣＤ１８（図２参照）のプローブを当てることで、その画面の一部の輝度を撮像することができる。このブリンクする位置は、図３（Ｅ）に示すように、画面上の６箇所の位置で、重複して合計９ポイント走査される。最初は▲１▼画面下部左側位置、次に▲２▼画面上部中央位置、次は▲３▼画面下部中央位置、次は▲４▼画面上部左側位置、次は▲５▼画面上部右側位置、次は▲６▼画面下部左側位置、次は▲７▼画面下部右側位置、次は▲８▼画面上部左側位置、次は▲９▼画面上部右側位置、である。
そして、図３（Ｂ）、（Ｃ）に示すように、このブリンクしている位置にＣＣＤ１８のプローブを、押し当てて、上記の９ポイントでデータを収集することにより、そのデータが中央演算処理装置１６にて演算処理され、各補正コイル３７〜４２への電流値を決定することで、図３（Ｄ）に示すように、一連のランデイング補正が終了する。
【００２７】
このように、陰極線管４１のビームランデイングの補正をし、その時の磁気センサー１２の検出値はメモリー１４に記憶しておき、中央演算処理装置１６において、各補正コイル３７〜４２に供給する電流を設定する。
【００２８】
このような構成からなる陰極線管４１を用いた画像表示装置において、先ず、ビームランデイングの精調を行ったときに、磁気センサー１２の出力する検出値をＡＤ変換器１３で変換してメモリー１４に保存する。
ビームランデイング精調後は、磁気センサー１２の出力をＡＤ変換器１３で変換した値とメモリー１４に保存されている値を比較器１５で比較する。中央演算処理装置（ＣＰＵ）１６は、この比較器１５からの出力信号を入力し、予め設定されている許容範囲を超えた場合には、周囲の磁気の状態が変化したと判断して、オンスクリーンディスプレイ（重畳表示）などにより、ユーザに対して、ビームランデイングの精調が必要であるという警告等の報知を表示部１７にする。この報知は、画面上に重畳表示することに限定されることなく、出力装置である音声での出力でもよく、又は特定のメロデイでもよく、更にはネットワークを介しての警告でもよいことは勿論のことである。
このようにして、陰極線管４１を用いた画像表示装置を使用中において、磁気の影響が許容値以上になったときに、警告を発するようにすると、ランデイング補正がされているのにもかかわらずビームランデイングがずれていることが容易に解り、迅速なランデイングの精調をするといった対処をすることができる。
【００２９】
又、この補正回路には磁気センサーが装備されているため、ランデイング補正をする際の粗調整を行ってから精調するといったことが可能であり、そのぶん調整する時間を短時間で行うことが可能になる。
【００３０】
【発明の効果】
上記説明したように、本発明に係るランデイング補正方法及びランデイング補正装置並びに陰極線管を用いた画像表示装置は、陰極線管を取巻く周囲の磁気の変動を検出して、ユーザーに調整を促すことで、ビームランデイングがずれている状態で使用されることを減少或いはなくすことができるという効果がある。
【図面の簡単な説明】
【図１】本発明に係るランデイング補正装置を備えた画像表示装置に警告を報知する機能を備えたときのブロック図である。
【図２】同、ランデイング補正装置を略示的に示したブロック図である。
【図３】自動ランデイング調整手順を示した説明図である。
【図４】ランデイング補正装置を略示的に示したブロック図である。
【図５】陰極線管に配置した補正コイルを示した説明図である。
【図６】地磁気センサーにより検出した電圧を示したグラフである。
【符号の説明】
１１；ランデイング補正装置、１２；磁気センサー、１３；Ａ／Ｄ変換器、１４；メモリー、１５；比較器、１６；中央演算処理装置（ＣＰＵ）、１７；表示部、１８；ＣＣＤ、１９；温度センサー、２０；時定数回路、２１；Ａ／Ｄ変換器、２２；Ａ／Ｄ変換器、２３；Ａ／Ｄ変換器、２４；Ｄ／Ａ変換器、２５；Ｄ／Ａ変換器、２６；Ｄ／Ａ変換器、２７；Ｄ／Ａ変換器、２８；Ｄ／Ａ変換器、２９；Ｄ／Ａ変換器、３０；マイクロコンピュータ、３１；駆動回路、３２；駆動回路、３３；駆動回路、３４；駆動回路、３５；駆動回路、３６；駆動回路、３７；第１の補正コイル、３８；第２の補正コイル、３９；第３の補正コイル、４０；第４の補正コイル、４１；第５の補正コイル、４２；ローテーション補正コイル。
【図１】
2004207981.tif 000003
【図２】
2004207981.tif 000004
【図３】
2004207981.tif 000005
【図４】
2004207981.tif 000006
【図５】
2004207981.tif 000007
【図６】
2004207981.tif 000008